(57)【要約】【課題】給電のオン及びオフを新たな態様で好適に切り替える。【解決手段】電子部品（１）は、電子回路（２１）を備える回路層（２０）と、電源（２２）と電子回路との間を電気的に接続する給電経路の一部を構成する第１電極膜（４１）を備える第１電極層（４０）と、給電経路の他の一部を構成する第２電極膜（５１）を備える第２電極層（５０）とを備え、第１電極層の一部は第２電極層の一部と重なり合っており、第１電極層と第２電極層との重なりの状態に応じて、当該電子部品の状態が給オン電状態及び給電オフ状態のいずれか一方に設定される。【選択図】図１
2013198646.tif 000002
【特許請求の範囲】
【請求項１】
電子回路を備える回路層と、
電源と前記電子回路との間を電気的に接続する給電経路の一部を構成する第１電極膜を備える第１電極層と、
前記給電経路の他の一部を構成する第２電極膜であって且つ前記第１電極膜とは異なる第２電極膜を備える第２電極層と
を備える電子部品であって、
前記第１電極層の一部は、前記第２電極層の一部と、当該電子部品の厚み方向に沿って重なり合っており、
前記第１電極層と前記第２電極層との重なりの状態に応じて、当該電子部品の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される
ことを特徴とする電子部品。
【請求項２】
前記第１電極層の一方側の面と前記第２電極層の他方側の面とが接触するように前記第１電極層と前記第２電極層とが重なり合っている場合には、前記第１電極膜と前記第２電極膜とが導通することで当該電子部品の状態が前記給電オン状態に設定され、
前記第１電極層の他方側の面と前記第２電極層の一方側の面とが接触するように前記第１電極層と前記第２電極層とが重なり合っている場合には、前記第１電極膜と前記第２電極膜とが導通されないことで当該電子部品の状態が前記給電オフ状態に設定される
ことを特徴とする請求項１に記載の電子部品。
【請求項３】
前記第１電極層は、当該第１電極層の他方側の面に配置される第１絶縁膜と当該第１電極層の一方側の面に配置される前記第１電極膜とが積層された構造を有しており、
前記第２電極層は、当該第２電極層の一方側の面に配置される第２絶縁膜と当該第２電極層の他方側の面に配置される前記第２電極膜とが積層された構造を有しており、
いる請求項１又は２に記載の電子部品。
【請求項４】
前記第１電極層の一方側の面に配置される前記第１電極膜と前記第２電極層の他方側の面に配置される前記第２電極膜とが接触するように前記第１電極層と前記第２電極層とが重なり合っている場合には、当該電子部品の状態が前記給電オン状態に設定され、
前記第１電極層の他方側の面に配置される前記第１絶縁膜と前記第２電極層の一方側の面に配置される前記第２絶縁膜とが接触するように前記第１電極層と前記第２電極層とが重なり合っている場合には、当該電子部品の状態が前記給電オフ状態に設定される
ことを特徴とする請求項３に記載の電子部品。
【請求項５】
前記第２電極層の一部と重なり合っている前記第１電極層の一部は、前記第２電極層から剥離可能であり、
前記第１電極層の一部と重なり合っている前記第２電極層の一部は、前記第１電極層から剥離可能である
ことを特徴とする請求項１から４のいずれか一項に記載の電子部品。
【請求項６】
前記第１電極層の一部と前記第２電極層の一部とは、当該電子部品の厚み方向に沿って前記電子回路と重ならない位置において、重なり合っている
ことを特徴とする請求項１から５のいずれか一項に記載の電子部品。
【請求項７】
所望の情報を検出するための検出回路を備える回路層と、
電源と前記電子回路との間を電気的に接続する給電経路の一部を構成する第１電極膜を備える第１電極層と、
前記給電経路の他の一部を構成する第２電極膜であって且つ前記第１電極膜とは異なる第２電極膜を備える第２電極層と
を備える検出機器であって、
前記第１電極層の一部は、前記第２電極層の一部と、当該検出機器の厚み方向に沿って重なり合っており、
前記第１電極層と前記第２電極層との重なりの状態に応じて、当該検出機器の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される
ことを特徴とする検出機器。
【請求項８】
生体情報を検出するための検出回路を備える回路層と、
電源と前記検出回路との間を電気的に接続する給電経路の一部を構成する第１電極膜を備える第１電極層と、
前記給電経路の他の一部を構成する第２電極膜であって且つ前記第１電極膜とは異なる第２電極膜を備える第２電極層と
を備える生体情報検出機器であって、
前記第１電極層の一部は、前記第２電極層の一部と、当該生体情報検出機器の厚み方向に沿って重なり合っており、
前記第１電極層と前記第２電極層との重なりの状態に応じて、当該生体情報検出機器の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される
ことを特徴とする生体情報検出機器。
【発明の詳細な説明】
【技術分野】
【０００１】
本発明は、例えば任意の電子回路を備える電子部品、並びにこのような電子部品を備える検出機器（例えば、水道管等の流体管の異常を検出する）及びこのような電子部品を備える生体情報検出機器（例えば、心拍等の生体情報を検出するための電子部品を備える生体情報検出機器）の技術分野に関する。
【背景技術】
【０００２】
心拍等の生体情報を検出するための生体情報検出機器として、生体の体表面に装着される心拍計がある。このような心拍計は、一般的には、布製の又はビニル製のベルトによって生体の体表面に装着される。
【０００３】
しかしながら、ベルトによって心拍計が装着されているがゆえに、生体が行う運動が激しい場合には心拍計が本来の装着位置からずれてしまうおそれがある。加えて、ベルトによって装着されているがゆえに、心拍計の装着感が良好でないおそれがある。
【０００４】
このような技術的問題点を解消するために、例えば特許文献１及び２に開示されているように、生体の体表面に貼り付けることが可能なシート状の又はフィルム状の生体情報検出機器が提案されている。
【先行技術文献】
【特許文献】
【０００５】
【特許文献１】特開２００７−１１７２６８号公報
【特許文献２】特開２０１０−２２３７４４号公報
【発明の概要】
【発明が解決しようとする課題】
【０００６】
ここで、特許文献１では、電源からセンサ（或いは、回路基板）に対する給電状態の具体例については何ら言及がされていない。従って、特許文献１には、給電のオン及びオフを切り替える（言い換えれば、電源とセンサとの間の導通のオン及びオフを切り替える）ための具体的な手法については何ら言及がされていない。
【０００７】
一方で、特許文献２では、バッテリ内蔵型ＩＣタグを含む貼り付け型体温計において、体温トレンドをモニタリングするか否かに応じて給電のオン及びオフを切り替える例が開示されている。特に特許文献２には、バッテリ内蔵型ＩＣタグの電源部と中央制御部（ＣＰＵ）の間にリードスイッチ及び永久磁石を含む磁気スイッチを設け、ＩＣタグに永久磁石付き被膜部材を被膜することで、給電をオフに切り替える例が開示されている。
【０００８】
しかしながら、特許文献２に開示された技術では、給電のオン及びオフを切り替えるために、ＩＣタグを構成するシートないしはフィルムと比較して相対的に厚みのある永久磁石やリードスイッチを設ける必要がある。従って、場合によっては、ＩＣタグの厚みが大きくなってしまい、装着感の悪化を招いてしまいかねない。
【０００９】
尚、上述した技術的問題は、生体情報検出機器に限らず、任意の電子回路を含む電子部品においても同様に発生し得る。つまり、任意の電子回路を含む電子部品においても、給電のオン及びオフを切り替える（言い換えれば、電源と電子回路との間の導通のオン及びオフを切り替える）際に、同様の技術的問題が発生し得る。
【００１０】
本発明は、例えば上述の問題点に鑑み為されたものであり、給電のオン及びオフを新たな態様で好適に切り替えることが可能な電子部品、並びに検出機器及び生体情報検出機器を提供することを課題とする。
【課題を解決するための手段】
【００１１】
上記課題を解決するための電子部品は、電子回路を備える回路層と、電源と前記電子回路との間を電気的に接続する給電経路の一部を構成する第１電極膜を備える第１電極層と、前記給電経路の他の一部を構成する第２電極膜であって且つ前記第１電極膜とは異なる第２電極膜を備える第２電極層とを備える電子部品であって、前記第１電極層の一部は、前記第２電極層の一部と、当該電子部品の厚み方向に沿って重なり合っており、前記第１電極層と前記第２電極層との重なりの状態に応じて、当該電子部品の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される。
【００１２】
上記課題を解決するための検出機器は、所望の情報を検出するための検出回路を備える回路層と、電源と前記電子回路との間を電気的に接続する給電経路の一部を構成する第１電極膜を備える第１電極層と、前記給電経路の他の一部を構成する第２電極膜であって且つ前記第１電極膜とは異なる第２電極膜を備える第２電極層とを備える検出機器であって、前記第１電極層の一部は、前記第２電極層の一部と、当該検出機器の厚み方向に沿って重なり合っており、前記第１電極層と前記第２電極層との重なりの状態に応じて、当該検出機器の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される。
【００１３】
上記課題を解決するための生体情報検出機器は、生体情報を検出するための検出回路を備える回路層と、電源と前記検出回路との間を電気的に接続する給電経路の一部を構成する第１電極膜を備える第１電極層と、前記給電経路の他の一部を構成する第２電極膜であって且つ前記第１電極膜とは異なる第２電極膜を備える第２電極層とが厚み方向に沿って積層されている生体情報検出機器であって、前記第１電極層の一部は、前記第２電極層の一部と、当該生体情報検出機器の厚み方向に沿って重なり合っており、前記第１電極層と前記第２電極層との重なりの状態に応じて、当該生体情報検出機器の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される。
【００１４】
本発明の作用及び利得は次に説明する実施形態から明らかにされる。
【図面の簡単な説明】
【００１５】
【図１】本実施例のフィルム積層型心拍計の構成を示す平面図及びブロック図である。
【図２】心拍計の状態が給電オフ状態となっているときの、スイッチ部分におけるプラス電極層とマイナス電極層の重なりの状態を示す断面図である。
【図３】心拍計の状態が給電オン状態となっているときの、スイッチ部分におけるプラス電極層とマイナス電極層の重なりの状態を示す断面図である。
【発明を実施するための形態】
【００１６】
以下、発明を実施するための形態として、本実施形態の電子部品、検出機器及び生体情報検出機器について説明する。
【００１７】
（電子部品の実施形態）
＜１＞
本実施形態の電子部品は、電子回路を備える回路層と、電源と前記電子回路との間を電気的に接続する給電経路の一部を構成する第１電極膜を備える第１電極層と、前記給電経路の他の一部を構成する第２電極膜であって且つ前記第１電極膜とは異なる第２電極膜を備える第２電極層とを備える電子部品であって、前記第１電極層の一部は、前記第２電極層の一部と、当該電子部品の厚み方向に沿って重なり合っており、前記第１電極層と前記第２電極層との重なりの状態に応じて、当該電子部品の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される。
【００１８】
本実施形態の電子部品によれば、回路層と、第１電極層と、第２電極層とが、電子部品の厚み方向に沿って積層されている。
【００１９】
回路層は、電子回路を備えている。つまり、回路層は、電子回路が形成される層である。電子回路は、任意の処理を行う任意の回路であってもよい。電子回路は、電源からの給電が行われることで動作する。言い換えれば、電子回路は、電源からの給電が行われていない場合には動作しないことが好ましい。このような電子回路としては、例えば、後に詳述する生体情報を検出する検出回路が一例としてあげられる。より具体的には、このような電子回路としては、例えば、後に詳述する心拍計（例えば、心音を検出する検出回路）等が一例としてあげられる。
【００２０】
第１電極層は、第１電極膜を備えている。つまり、第１電極層は、第１電極膜が形成される層である。第１電極膜は、電源と電子回路との間を電気的に接続する給電経路（典型的には、電気配線）の一部を構成する。
【００２１】
第２電極層は、第１電極膜とは異なる第２電極膜を備えている。つまり、第２電極層は、第２電極膜が形成される層である。第２電極膜は、電源と電子回路との間を電気的に接続する給電経路（典型的には、電気配線）の他の一部を構成する。従って、第１電極膜及び第２電極膜の双方を含む電極膜全体として、電源と電子回路との間を電気的に接続する給電経路（典型的には、電気配線）の全体が構成される。
【００２２】
第１電極層の一部は、第２電極層の一部と重なり合っている。より具体的には、第１電極層の一部は、電子部品の厚み方向（つまり、回路層、第１電極層及び第２電極層の厚み方向）に沿って、第２電極層の一部と重なり合っている。言い換えれば、第１電極層の他の一部は、第２電極層の他の一部と重なり合っていないことが好ましい。より具体的には、第１電極層の他の一部は、電子部品の厚み方向に沿って、第２電極層の他の一部と重なり合っていないことが好ましい。従って、回路層と、第１電極層と、第２電極層とは、第１電極層の一部が第２電極層の一部と重なり合っている（言い換えれば、第１電極層の他の一部が第２電極層の他の一部と重なり合っていない）ように、電子部品の厚み方向に沿って積層されている。
【００２３】
本実施形態では、第１電極層と第２電極層との重なりの状態（つまり、第１電極層の一部と第２電極層の一部との重なり状態）に応じて、電子部品の状態が、給電オン状態及び給電オフ状態のいずれ一方に設定される。ここで、給電オン状態とは、第１電極膜と第２電極膜とが導通することで、第１電極膜及び第２電極膜から構成される給電経路を介して、電源から電子回路に対する給電が行われる状態を意味する。一方で、給電オフ状態とは、第１電極膜と前記第２電極膜とが導通しないことで、第１電極膜及び第２電極膜から構成される給電経路を介して、電源から電子回路に対する給電が行われない状態を意味する。
【００２４】
具体的には、第１電極層の一部と第２電極層の一部との重なりの状態が第１の状態になっている場合には、第１電極膜と第２電極膜とが導通する。言い換えれば、第１電極層の一部と第２電極層の一部との重なりの状態が第１の状態になっている場合には、第１電極膜と第２電極膜とが電気的に接続される。その結果、第１電極膜及び第２電極膜から構成される給電経路が、電源から電子回路に至るまでの給電経路の途中において電気的に遮断されることがなくなる。このため、電子部品の状態が給電オン状態に設定される。
【００２５】
一方で、第１電極層の一部と第２電極層の一部との重なりの状態が第２の状態になっている場合には、第１電極膜と第２電極膜とが導通しない。言い換えれば、第１電極層の一部と第２電極層の一部との重なりの状態が第２の状態になっている場合には、第１電極膜と第２電極膜とが電気的に絶縁される。その結果、第１電極膜及び第２電極膜から構成される給電経路が、電源から電子回路に至るまでの給電経路の途中において電気的に遮断される。このため、電子部品の状態が給電オフ状態に設定される。
【００２６】
尚、第１電極膜と第２電極膜との間の電気的な絶縁を維持するために、第１電極膜と第２電極膜とは、物理的に又は電気的に分離されていることが好ましい。但し、第１電極膜の少なくとも一部と第２電極膜の少なくとも一部とは、第１電極層と第２電極層との重なりの状態（つまり、第１電極層の一部と第２電極層の一部との重なり状態）に応じて、物理的に又は電気的に接続されることが好ましい。
【００２７】
このように、本実施形態の電子部品によれば、第１電極層と第２電極層との重なりの状態が変更されることで、電子回路の状態が給電オン状態及び給電オフ状態のいずれか一方に設定される。このため、電子部品における給電のオン及びオフが、新たな態様で好適に切り替えられる。
【００２８】
特に、本実施形態では、夫々がシート状、フィルム状又は薄膜状の形状を有するように構成可能な第１電極層と第２電極層との重なりの状態が変更されることで、電子部品の給電のオン及びオフが切り替えられる。従って、電子部品全体の厚みの増大が抑制されつつも、電子部品における給電のオン及びオフが好適に切り替えられる。
【００２９】
＜２＞
本実施形態の電子部品の他の態様では、前記第１電極層の一方側の面と前記第２電極層の他方側の面とが接触するように前記第１電極層と前記第２電極層とが重なり合っている場合には、前記第１電極膜と前記第２電極膜とが導通することで当該電子部品の状態が前記給電オン状態に設定され、前記第１電極層の他方側の面と前記第２電極層の一方側の面とが接触するように前記第１電極層と前記第２電極層とが重なり合っている場合には、前記第１電極膜と前記第２電極膜とが導通することで当該電子部品の状態が前記給電オフ状態に設定される。
【００３０】
この態様によれば、第１電極層の一部と第２電極層の一部とが、第１電極層の一方側（例えば、表側）の面と第２電極層の他方側（例えば、裏側）の面とが接触するように重なり合っている場合には、第１電極膜と第２電極膜とが導通する。その結果、第１電極膜及び第２電極膜から構成される給電経路が、電源から電子回路に至るまでの給電経路の途中において電気的に遮断されることがなくなる。このため、電子部品の状態が給電オン状態に設定される。
【００３１】
一方で、第１電極層の一部と第２電極層の一部とが、第１電極層の他方側（例えば、裏側）の面と第２電極層の一方側（例えば、表側）の面とが接触するように重なり合っている場合には、第１電極膜と第２電極膜とが導通しない。その結果、第１電極膜及び第２電極膜から構成される給電経路が、電源から電子回路に至るまでの給電経路の途中において電気的に遮断される。このため、電子部品の状態が給電オフ状態に設定される。
【００３２】
＜３＞
本実施形態の電子部品の他の態様では、前記第１電極層は、当該第１電極層の他方側の面に配置される第１絶縁膜と当該第１電極層の一方側の面に配置される前記第１電極膜とが積層された構造を有しており、前記第２電極層は、当該第２電極層の一方側の面に配置される第２絶縁膜と当該第２電極層の他方側の面に配置される前記第２電極膜とが積層された構造を有している。
【００３３】
この態様によれば、第１電極層の一部と第２電極層の一部とが、第１電極層の一方側（例えば、表側）の面と第２電極層の他方側（例えば、裏側）の面とが接触するように重なり合っている場合には、第１電極膜と第２電極膜とが導通する。その結果、第１電極膜及び第２電極膜から構成される給電経路が、電源から電子回路に至るまでの給電経路の途中において電気的に遮断されることがなくなる。このため、電子部品の状態が給電オン状態に設定される。
【００３４】
一方で、第１電極層の一部と第２電極層の一部とが、第１電極層の他方側（例えば、裏側）の面と第２電極層の一方側（例えば、表側）の面とが接触するように重なり合っている場合には、第１絶縁膜と第２絶縁膜とが接触する。つまり、第１電極膜と第２電極膜とが導通しない。その結果、第１電極膜及び第２電極膜から構成される給電経路が、電源から電子回路に至るまでの給電経路の途中において電気的に遮断される。このため、電子部品の状態が給電オフ状態に設定される。
【００３５】
＜４＞
上述の如く第１電極層が第１絶縁膜を備え且つ第２電極層が第２絶縁膜を備える電子部品の態様では、前記第１電極層の一方側の面に配置される前記第１電極膜と前記第２電極層の他方側の面に配置される前記第２電極膜とが接触するように前記第１電極層と前記第２電極層とが重なり合っている場合には、当該電子部品の状態が前記給電オン状態に設定され、前記第１電極層の他方側の面に配置される前記第１絶縁膜と前記第２電極層の一方側の面に配置される前記第２絶縁膜とが接触するように前記第１電極層と前記第２電極層とが重なり合っている場合には、当該電子部品の状態が前記給電オフ状態に設定される。
【００３６】
この態様によれば、第１電極層の一部と第２電極層の一部とが、第１電極層の一方側（例えば、表側）の面に配置される第１電極膜と第２電極層の他方側（例えば、裏側）の面に配置されている第２電極膜とが接触するように重なり合っている場合には、第１電極膜と第２電極膜とが導通する。その結果、第１電極膜及び第２電極膜から構成される給電経路が、電源から電子回路に至るまでの給電経路の途中において電気的に遮断されることがなくなる。このため、電子部品の状態が給電オン状態に設定される。
【００３７】
一方で、第１電極層の一部と第２電極層の一部とが、第１電極層の他方側（例えば、裏側）の面に配置される第１絶縁膜と第２電極層の一方側（例えば、表側）の面に配置される第２絶縁膜とが接触するように重なり合っている場合には、第１絶縁膜と第２絶縁膜とが接触する。つまり、第１電極膜と第２電極膜とが導通しない。その結果、第１電極膜及び第２電極膜から構成される給電経路が、電源から電子回路に至るまでの給電経路の途中において電気的に遮断される。このため、電子部品の状態が給電オフ状態に設定される。
【００３８】
＜５＞
本実施形態の電子部品の他の態様では、前記第２電極層の一部と重なり合っている前記第１電極層の一部は、前記第２電極層から剥離可能であり、前記第１電極層の一部と重なり合っている前記第２電極層の一部は、前記第１電極層から剥離可能である。
【００３９】
この態様によれば、第１電極層と第２電極層との重なりの状態が比較的容易に変更される。例えば、ユーザが第１電極層及び第２電極層の少なくとも一方を剥離することで、第１電極層と第２電極層との重なりの状態が比較的容易に変更される。このため、電子部品における給電のオン及びオフが好適に切り替えられる。
【００４０】
＜６＞
本実施形態の電子部品の他の態様では、前記第１電極層の一部と前記第２電極層の一部とは、当該電子部品の厚み方向に沿って前記電子回路と重ならない位置において、重なり合っている。
【００４１】
この態様によれば、厚み方向に沿って電子回路と重ならない位置において第１電極層の一部と第２電極層の一部とが重なり合っている比較例の電子部品と比較して、第１電極層と第２電極層との重なりの状態を変更するために加えられる応力が、電子回路に加わりにくくなる。従って、電子回路の破損が好適に防止される。
【００４２】
（検出機器の実施形態）
＜７＞
本実施形態の検出機器は、所望の情報を検出するための検出回路を備える回路層と、電源と前記電子回路との間を電気的に接続する給電経路の一部を構成する第１電極膜を備える第１電極層と、前記給電経路の他の一部を構成する第２電極膜であって且つ前記第１電極膜とは異なる第２電極膜を備える第２電極層とを備える検出機器であって、前記第１電極層の一部は、前記第２電極層の一部と、当該検出機器の厚み方向に沿って重なり合っており、前記第１電極層と前記第２電極層との重なりの状態に応じて、当該検出機器の状態が、(i)前記第１電極膜と前記第２電極膜とが導通することで、前記給電経路を介して前記電源から前記電子回路に対する給電が行われる給電オン状態及び(ii)前記第１電極膜と前記第２電極膜とが導通しないことで、前記給電経路を介して前記電源から前記電子回路に対する給電が行われない給電オフ状態のいずれか一方に設定される。
【００４３】
本実施形態の検出機器によれば、上述した本実施形態の電子部品が享受する各種効果と同様の効果を好適に享受することができる。
【００４４】
尚、上述した本実施形態の電子部品が採用し得る各種態様に対応して、本実施形態の検出機器もまた、各種態様を採用することができる。
【００４５】
（生体情報検出機器の実施形態）
＜８＞
本実施形態の生体情報検出機器は、生体情報を検出するための検出回路を備える回路層と、電源と前記電子回路との間を電気的に接続する給電経路の一部を構成する第１電極膜を備える第１電極層と、前記給電経路の他の一部を構成する第２電極膜であって且つ前記第１電極膜とは異なる第２電極膜を備える第２電極層とが厚み方向に沿って積層されている生体情報検出機器であって、前記第１電極層の一部は、前記第２電極層の一部と、当該生体情報検出機器の厚み方向に沿って重なり合っており、前記第１電極層と前記第２電極層との重なりの状態に応じて、当該生体情報検出機器の状態が、(i)前記第１電極膜と前記第２電極膜とが導通することで、前記給電経路を介して前記電源から前記電子回路に対する給電が行われる給電状態及び(ii)前記第１電極膜と前記第２電極膜とが導通しないことで、前記給電経路を介して前記電源から前記電子回路に対する給電が行われない非給電状態のいずれか一方に設定される。
【００４６】
本実施形態の生体情報検出機器によれば、上述した本実施形態の電子部品が享受する各種効果と同様の効果を好適に享受することができる。
【００４７】
尚、上述した本実施形態の電子部品が採用し得る各種態様に対応して、本実施形態の生体情報検出機器もまた、各種態様を採用することができる。
【００４８】
本実施形態のこのような作用及び他の利得は次に説明する実施例から更に明らかにされる。
【００４９】
以上説明したように、本実施形態の電子部品は、回路層と、第１電極層と、第２電極とを備え、第１電極層と２電極層との重なりの状態に応じて、当該電子部品の状態が給電状態及び非給電状態のいずれか一方に設定される。本実施形態の検出機器は、回路層と、第１電極層と、第２電極とを備え、第１電極層と２電極層との重なりの状態に応じて、当該検出機器の状態が給電状態及び非給電状態のいずれか一方に設定される。本実施形態の生体情報検出機器は、回路層と、第１電極層と、第２電極とを備え、第１電極層と２電極層との重なりの状態に応じて、当該生体情報検出機器の状態が給電状態及び非給電状態のいずれか一方に設定される。従って、給電のオン及びオフが新たな態様で好適に切り替えられる。
【実施例】
【００５０】
以下、電子部品、並びに検出機器及び生体情報検出機器の実施例について、図面を参照しながら説明を進める。
【００５１】
尚、以下の説明では、上述した電子部品、並びに検出機器及び生体情報検出機器が、生体情報の一例である心拍を検出する心拍計に適用される例について説明を進める。しかしながら、上述した電子部品及び生体情報検出機器は、心拍計に限らず、生体情報の一例である血流量を検出する血流計や、生体情報の一例である血圧を検出する血圧計や、生体情報の一例である呼吸音を検出する呼吸計や、その他の生体情報を検出する機器に適用されてもよい。或いは、上述した電子部品及び検出機器は、生体情報以外の任意の情報（例えば、音声等）を検出する任意の検出機器に適用されてもよい。例えば、上述した電子部品及び検出機器は、音声を検出するマイクに適用されてもよい。或いは、例えば、上述した電子部品及び検出機器は、水道管等の流体管の異常を検出する検査機器に適用されてもよい。
【００５２】
（１）心拍計の構成
はじめに、図１を参照して、本実施例の心拍計１の構成について説明する。図１（ａ）は、本実施例の心拍計１の構成を示す平面図であり、図１（ｂ）は、図１（ａ）に示す心拍計１のＩ−Ｉ’断面図である。
【００５３】
図１（ａ）及び図１（ｂ）に示すように、本実施例の心拍計１は、ベースフィルム１０を備えている。ベースフィルム１０は、心拍計１の基礎となるフィルム状（或いは、シート状の又は薄膜状の）の部材である。このようなフィルム状の部材は、典型的には、樹脂製の部材であるが、ゴム製の部材や布製の部材や金属製の部材であってもよい。ベースフィルム１０は、心拍計１を構成する他の部材を支持する。ベースフィルム１０は、心拍計１を構成する他の部材を支持するために、粘着性を備えていてもよい。この場合、心拍計１を構成する他の部材は、ベースフィルム１０の粘着性によって、ベースフィルム１０上に固定される。
【００５４】
ベースフィルム１０は、心拍計１を生体の体表面に貼り付けるために、粘着性を備えていてもよい。この場合、心拍計１は、ベースフィルム１０の粘着性によって、生体の体表面に貼り付けられる。この場合、ベースフィルム１０に粘着性を付与するための部材としての樹脂（例えば、水洗いによって粘着力が回復するエストラマー系の樹脂）が、ベースフィルム１０上に塗布される又はベースフィルム１０に配合されてもよい。
【００５５】
ベースフィルム１０の表面（図１（ｂ）における上側の面）上には、回路基板フィルム２０が積層されている。回路基板フィルム２０は、心拍を検出するための心拍検出回路２１が形成されるフィルム状の（或いは、シート状の又は薄膜状の）部材である。このようなフィルム状の部材は、典型的には、樹脂製の部材であるが、ゴム製の部材や布製の部材や金属製の部材であってもよい。回路基板フィルム２０は、心拍を検出するための検出回路を構成する他の部材を支持する。
【００５６】
心拍を検出するための心拍検出回路２１は、集音部２１１と、増幅部２１２と、量子化部２１３と、搬送波発生部２１４とを備えている。
【００５７】
集音部２１１は、生体の心拍を音として検出するためのマイクである。このようなマイクとして、例えば、ピエゾマイクやＭＥＭＳ（Ｍｉｃｒｏ  Ｅｌｅｃｔｒｏ  Ｍｅｃｈａｎｉｃａｌ  Ｓｙｓｔｅｍ）マイク等が一例としてあげられる。集音部２１１は、検出した心拍に応じて変動する音声信号（以降、適宜“心拍信号”と称する）を、回路基板フィルム２０上に形成される電気配線を介して、増幅部２１２に対して出力する。
【００５８】
増幅部２１２は、集音部２１１が検出した心拍に相当する心拍信号を増幅する。増幅部２１２は、増幅した心拍信号を、回路基板フィルム２０上に形成される電気配線を介して、量子化部２１３に対して出力する。
【００５９】
量子化部２１３は、増幅部２１２が増幅した心拍信号を量子化（言い換えれば、デジタル化又は２値化）する。量子化部２１３は、量子化した心拍信号を、回路基板フィルム２０上に形成される電気配線を介して、搬送波発生部２１４に対して出力する。
【００６０】
搬送波発生部２１４は、量子化された心拍信号を心拍計１の外部の解析機器に対して送信するための搬送波を生成する。その結果、搬送波発生部２１４が生成した搬送波が、量子化された心拍信号に応じて変調される。その後、変調された搬送波は、ベースフィルム１０上に形成されているアンテナ１１（例えば、フィルムアンテナやマイクロストリップアンテナ等）を介して、心拍計１の外部の解析機器に対して送信される。
【００６１】
加えて、回路基板フィルム２０上には、心拍検出回路２１に対する給電を行う電源２２が形成される。電源２２は、後述するプラス電極膜４１及びマイナス電極膜４２を介して、心拍検出回路２１に対する給電を行う。その結果、心拍検出回路２１は、電源２２からの給電を利用して、生体の心拍を検出する。
【００６２】
ベースフィルム１０の表面上には、更に、回路基板フィルム２０を覆うように、保護フィルム３０が形成されている。保護フィルム３０は、回路基板フィルム２０やベースフィルム１０の破損を防ぐためのフィルム状の（或いは、シート状の又は薄膜状の）部材である。このようなフィルム状の部材は、典型的には、樹脂製の部材であるが、ゴム製の部材や布製の部材や金属製の部材であってもよい。
【００６３】
一方で、ベースフィルム１０の裏面（図１（ｂ）における下側の面）上には、「第１電極層」の一具体例を構成するプラス電極層４０と、「第２電極層」の一具体例を構成するマイナス電極層５０とが形成されている。
【００６４】
プラス電極層４０は、「第１電極膜」の一具体例を構成するプラス電極膜４１と、「第１絶縁膜」の一具体例を構成するプラス電極用フィルム４２とが積層された構造を有している。特に、プラス電極層４０は、ベースフィルム１０の裏面から見て、プラス電極膜４１とプラス電極用フィルム４２とがこの順に積層された構造を有している。つまり、ベースフィルム１０の裏面上にプラス電極膜４１が形成され、プラス電極膜４１の裏面上にプラス電極用フィルム４２が形成されている。言い換えれば、プラス電極層４０の表面側にプラス電極膜４１が形成され、プラス電極層４０の裏面側にプラス電極用フィルム４１が形成されている。
【００６５】
プラス電極膜４１は、電源２２から心拍検出回路２１に至る給電経路の一部を構成する、フィルム状の（或いは、シート状の又は薄膜状の）電気配線である。プラス電極膜４１は、典型的には、金属製の部材である。
【００６６】
プラス電極用フィルム４２は、プラス電極膜４１を支持するためのフィルム状（或いは、シート状の又は薄膜状の）の部材である。このようなフィルム状の部材は、典型的には、樹脂製の部材であるが、ゴム製の部材や布製の部材や金属製の部材であってもよい。特に、プラス電極用フィルム４２は、電気的な絶縁性を有している。つまり、プラス電極用フィルム４２は、電気的な絶縁体である。
【００６７】
尚、本実施例の心拍計１は、裏面側（つまり、図１（ｂ）の下側）に生体の体表面が位置するように、生体の体表面に貼り付けられることが好ましい。従って、プラス電極用フィルム４２の裏面（つまり、図１（ｂ）の下側の面）は、心拍計１を生体の体表面に貼り付けるために、粘着性を備えていてもよい。この場合、心拍計１は、プラス電極用フィルム４２の粘着性によって、生体の体表面に貼り付けられる。この場合、プラス電極用フィルム４２に粘着性を付与するための部材としての樹脂（例えば、水洗いによって粘着力が回復するエストラマー系の樹脂）が、プラス電極用フィルム４２上に塗布される又はプラス電極用フィルム４２に配合されてもよい。
【００６８】
マイナス電極層５０は、「第２電極膜」の一具体例を構成するマイナス電極膜５１と、「第２絶縁膜」の一具体例を構成するマイナス電極用フィルム５２とが積層された構造を有している。特に、マイナス電極層５０は、ベースフィルム１０の裏面から見て、マイナス電極用フィルム５２とマイナス電極膜５１とがこの順に積層された構造を有している。つまり、ベースフィルム１０の裏面上にマイナス電極用フィルム５２が形成され、マイナス電極用フィルム５２の裏面上にマイナス電極膜５１が形成されている。言い換えれば、マイナス電極層５０の表面側にマイナス電極用フィルム５２が形成され、マイナス電極層５０の裏面側にマイナス電極膜５１が形成されている。
【００６９】
マイナス電極膜５１は、電源２２から心拍検出回路２１に至る給電経路の他の一部を構成する、フィルム状の（或いは、シート状の又は薄膜状の）電気配線である。マイナス電極膜５１は、典型的には、金属の部材である。
【００７０】
尚、本実施例の心拍計１は、裏面側（つまり、図１（ｂ）の下側）に生体の体表面が位置するように、生体の体表面に貼り付けられることが好ましい。従って、マイナス電極膜５１の裏面（つまり、図１（ｂ）の下側の面）は、心拍計１を生体の体表面に貼り付けるために、粘着性を備えていてもよい。この場合、心拍計１は、マイナス電極膜５１の粘着性によって、生体の体表面に貼り付けられる。この場合、マイナス電極膜５１に粘着性を付与するための部材としての樹脂（例えば、水洗いによって粘着力が回復するエストラマー系の樹脂）が、マイナス電極膜５１上に塗布される又はマイナス電極膜５１に配合されてもよい。
【００７１】
マイナス電極用フィルム５２は、マイナス電極膜５１を支持するためのフィルム状の（或いは、シート状の又は薄膜状の）部材（典型的には、樹脂製の部材であるが、ゴム製の部材や布製の部材や金属製の部材であってもよい）である。特に、マイナス電極用フィルム５２は、電気的な絶縁性を有している。つまり、マイナス電極用フィルム５２は、電気的な絶縁体である。
【００７２】
プラス電極４０とマイナス電極層５０とは、ベースフィルム１０上の一部の領域に相当するスイッチ部分６０において、心拍計１の厚み方向（つまり、図１（ｂ）の上下方向）に沿って互いに重なり合っている。つまり、スイッチ部分６０に位置しているプラス電極層４０の一部は、スイッチ部分６０に位置しているマイナス電極層５０の一部と、心拍計１の厚み方向に沿って互いに重なり合っている。言い換えれば、プラス電極４０とマイナス電極層５０とは、スイッチ部分６０以外の他の部分において、心拍計１の厚み方向に沿って互いに重なり合っていないことが好ましい。つまり、スイッチ部分６０以外の他の部分に位置しているプラス電極層４０の他の一部は、スイッチ部分６０以外の他の部分に位置しているマイナス電極層５０の他の一部と、心拍計１の厚み方向に沿って互いに重なり合っていないことが好ましい。つまり、スイッチ部分６０においては、プラス電極層４０及びマイナス電極５０の双方が形成されている一方で、スイッチ部分６０以外の他の部分においては、プラス電極層４０及びマイナス電極５０のいずれか一方が形成されている。
【００７３】
尚、プラス電極膜４１とマイナス電極膜５１とがスイッチ部分６０において電気的に接触している（或いは、導通している又は電気的に絶縁されていない）状態では、電源２２から心拍検出回路２１に至る一連の給電経路が確保される。つまり、プラス電極膜４１及びマイナス電極膜５２から構成される給電経路は、その途中で電気的に遮断されることはない。その結果、電源２２から心拍検出回路２１に対する給電が行われる。
【００７４】
一方で、プラス電極膜４１とマイナス電極膜５１とがスイッチ部分６０において電気的に接触していない（或いは、導通していない又は電気的に絶縁されている）状態では、電源２２から心拍検出回路２１に至る一連の給電経路が確保されることはない。つまり、プラス電極膜４１及びマイナス電極膜５２から構成される給電経路は、その途中で電気的に遮断される。その結果、電源２２から心拍検出回路２１に対する給電が行われない。
【００７５】
本実施例では、スイッチ部分６０におけるプラス電極層４０とマイナス電極層５０との重なりの状態に応じて、心拍計１の状態が、電源２２から心拍検出回路２１に対する給電が行われる給電オン状態及び電源２２から心拍検出回路２１に対する給電が行われない給電オフ状態のいずれか一方に設定される。例えば、スイッチ部分６０におけるプラス電極層４０とマイナス電極層５０との重なりの状態が第１状態である場合には、心拍計１の状態は、給電オン状態に設定される。他方で、スイッチ部分６０におけるプラス電極層４０とマイナス電極層５０との重なりの状態が第２状態である場合には、心拍計１の状態は、給電オフ状態に設定される。
【００７６】
スイッチ部分６０におけるプラス電極層４０とマイナス電極層５０との重なりの状態は、ユーザによってプラス電極層４０及びマイナス電極層５０の少なくとも一方が剥離されることで変えられてもよい。
【００７７】
このようなプラス電極層４０とマイナス電極層５０との間の剥離を許容しつつもスイッチ部分６０におけるプラス電極層４０及びマイナス電極層５０の固着を実現するために、スイッチ部分６０におけるプラス電極層４０（特に、マイナス電極層５０と接触し得る面であって、例えば、プラス電極膜４１の表面やプラス電極用フィルム４２の裏面）は、粘着性を有していることが好ましい。同様に、スイッチ部分６０におけるマイナス電極層５０（特に、プラス電極層４０と接触し得る面であって、例えば、マイナス電極膜５１の裏面やマイナス電極用フィルム５２の表面）は、粘着性を有していることが好ましい。特に、心拍計１が実際に使用されている状況下ではこのようなプラス電極層４０とマイナス電極層５０との間の剥離が複数回行われると想定される。従って、このような複数回の剥離を考慮した上で、プラス電極層４０に粘着性を付与するための部材としての樹脂（例えば、水洗いによって粘着力が回復するエストラマー系の樹脂）が、プラス電極層４０上に塗布される若しくはプラス電極層４０に配合されてもよい。同様に、マイナス電極層５０に粘着性を付与するための部材としての樹脂（例えば、水洗いによって粘着力が回復するエストラマー系の樹脂）が、マイナス電極層５０上に塗布される若しくはマイナス電極層５０に配合されてもよい。
【００７８】
尚、スイッチ部分６０における第１電極層４０と第２電極層５０との重なりの状態をユーザが任意に変えることができるように、第１電極層４０をつかむためのつまみ４３が、第１電極層４０（特に、第１電極層４０のスイッチ部分６０）に形成されていてもよい。同様に、スイッチ部分６０における第１電極層４０と第２電極層５０との重なりの状態をユーザが任意に変えることができるように、第２電極層５０をつかむためのつまみ５３が、第２電極層５０（特に、第２電極層５０のスイッチ部分６０）に形成されていてもよい。
【００７９】
以下、スイッチ部分６０におけるプラス電極層４０とマイナス電極層５０との重なりの状態と、心拍計１の状態（つまり、給電オン状態及び給電オフ状態）との関係について、以下により詳細に説明する。
【００８０】
（２）心拍計における給電オン状態及び給電オフ状態の切り替え
続いて、図２及び図３を参照して、スイッチ部分６０におけるプラス電極層４０とマイナス電極層５０との重なりの状態と、心拍計１の状態（つまり、給電オン状態及び給電オフ状態）との関係について説明する。図２は、心拍計１の状態が給電オフ状態となっているときの、スイッチ部分６０におけるプラス電極層４０とマイナス電極層５０との重なりの状態を示す断面図である。図３は、心拍計１の状態が給電オン状態となっているときの、スイッチ部分６０におけるプラス電極層４０とマイナス電極層５０との重なりの状態を示す断面図である。
【００８１】
図２に示すように、スイッチ部分６０におけるプラス電極層４０とマイナス電極層５０との重なりの状態は、マイナス電極層５０がプラス電極層４０の裏側（つまり、図２の下側）に配置される状態となっている。この場合、プラス電極膜４１とマイナス電極膜５１とがスイッチ部分６０において電気的に接触していない（或いは、導通していない又は電気的に絶縁されている）。より具体的には、プラス電極用フィルム４２とマイナス電極用フィルム５２とがスイッチ部分６０において接触しているがゆえに、プラス電極膜４１とマイナス電極膜５１との間には、絶縁性を有するプラス電極用フィルム４２及びマイナス電極用フィルム５２が介在している。従って、電源２２から心拍検出回路２１に至る一連の給電経路が確保されることはない。つまり、プラス電極膜４１及びマイナス電極膜５２から構成される給電経路は、その途中（つまり、スイッチ部分６０）で電気的に遮断される。その結果、電源２２から心拍検出回路２１に対する給電が行われない。従って、スイッチ部分６０におけるプラス電極層４０とマイナス電極層５０との重なりの状態が図２に示す状態となっている場合には、心拍計１の状態は、給電オフ状態となる。
【００８２】
一方で、図３に示すように、スイッチ部分６０におけるプラス電極層４０とマイナス電極層５０との重なりの状態は、プラス電極層４０がマイナス電極層５０の裏側（つまり、図３の下側）に配置される状態となっている。この場合、プラス電極膜４１とマイナス電極膜５１とがスイッチ部分６０において電気的に接触している（或いは、導通している又は電気的に絶縁されていない）。従って、電源２２から心拍検出回路２１に至る一連の給電経路が確保される。つまり、プラス電極膜４１及びマイナス電極膜５２から構成される給電経路は、その途中（つまり、スイッチ部分６０）で電気的に遮断されることはない。その結果、電源２２から心拍検出回路２１に対する給電が行われる。従って、スイッチ部分６０におけるプラス電極層４０とマイナス電極層５０との重なりの状態が図３に示す状態となっている場合には、心拍計１の状態は、給電オン状態となる。
【００８３】
尚、スイッチ部分６０におけるプラス電極層４０とマイナス電極層５０との重なりの状態を図２に示す状態から図３に示す重なりの状態に変えるためには、ユーザは、例えば以下に示す態様で、プラス電極層４０及びマイナス電極層５０の剥離等を行えばよい。まず、ユーザは、マイナス電極層５０をプラス電極層４０から剥離する。その後、ユーザは、プラス電極層４０をベースフィルム１０から剥離する。その後、ユーザは、ベースフィルム１０の裏面にマイナス電極層５０を貼り付ける。その後、ユーザは、マイナス電極層５０の裏面にプラス電極層４０を貼り付ける。つまり、ユーザは、プラス電極層４０とマイナス電極層５０の上下関係を入れ変えればよい。その結果、ユーザは、スイッチ部分６０におけるプラス電極層４０とマイナス電極層５０との重なりの状態を、図２に示す状態から図３に示す重なりの状態に変えることができる。
【００８４】
同様に、スイッチ部分６０におけるプラス電極層４０とマイナス電極層５０との重なりの状態を図３に示す状態から図２に示す重なりの状態に変えるためには、ユーザは、例えば以下に示す態様で、プラス電極層４０及びマイナス電極層５０の剥離等を行えばよい。まず、ユーザは、プラス電極層４０をマイナス電極層５０から剥離する。その後、ユーザは、マイナス電極層５０をベースフィルム１０から剥離する。その後、ユーザは、ベースフィルム１０の裏面にプラス電極層４０を貼り付ける。その後、ユーザは、プラス電極層４０の裏面にマイナス電極層５０を貼り付ける。つまり、ユーザは、プラス電極層４０とマイナス電極層５０の上下関係を入れ変えればよい。その結果、ユーザは、スイッチ部分６０におけるプラス電極層４０とマイナス電極層５０との重なりの状態を、図３に示す状態から図２に示す重なりの状態に変えることができる。
【００８５】
以上説明したように、本実施例の心拍計１によれば、プラス電極層４０とマイナス電極層５０との重なりの状態が変えられることで、心拍検出回路２１の状態が給電オン状態及び給電オフ状態のいずれか一方に設定される。このため、心拍検出回路２１の給電のオン及びオフ（言い換えれば、心拍計１の給電のオン及びオフ）が新たな態様で好適に切り替えられる。
【００８６】
特に、本実施例では、夫々がフィルム状の形状を有するプラス電極層４０とマイナス電極層５０との重なりの状態が変えられることで、心拍計１の給電のオン及びオフが切り替えられる。つまり、心拍計１の給電のオン及びオフを切り替えるために、リードスイッチ及び永久磁石を含む磁気スイッチを備えていなくともよくなる。従って、心拍計１全体の厚みの増大が抑制されつつも、心拍計１の給電のオン及びオフが好適に切り替えられる。更に、ユーザは、心拍計１全体の厚みに増大が抑制されるため、心拍計１の装着感の悪化を感じにくくなる。
【００８７】
加えて、本実施例では、厚み方向に沿って心拍検出回路２１と重ならない位置にスイッチ部分６０（つまり、プラス電極層４０とマイナス電極層５０とが重なる部分）が位置する。このため、厚み方向に沿って心拍検出回路２１と重なる位置にスイッチ部分６０が位置する比較例の心拍計と比較して、プラス電極層４０とマイナス電極層５０の重なりの状態を変更するために加えられる応力が、心拍検出回路２１に加わりにくくなる。従って、プラス電極層４０とマイナス電極層５０の重なりの状態を変更するためにユーザによってプラス電極層４０及びマイナス電極層５０が剥離されたとしても、心拍検出回路２１の破損が好適に防止される。
【００８８】
本発明は、上述した実施例に限られるものではなく、請求の範囲及び明細書全体から読み取れる発明の要旨或いは思想に反しない範囲で適宜変更可能であり、そのような変更を伴う電子部品、並びに検出機器及び生体情報検出機器もまた本発明の技術的範囲に含まれるものである。
【符号の説明】
【００８９】
１  心拍計
１０  ベースフィルム
１１  アンテナ
２０  回路基板フィルム
２１  心拍検出回路
２１１  集音部
２１２  増幅部
２１３  量子化部
２１４  搬送波発生部
２２  電源
３０  保護フィルム
４０  プラス電極層
４１  プラス電極膜
４２  プラス電極用フィルム
４３  つまみ
５０  マイナス電極層
５１  マイナス電極膜
５２  マイナス電極用フィルム
５３  つまみ
６０  スイッチ部分
【図１】
2013198646.tif 000003
【図２】
2013198646.tif 000004
【図３】
2013198646.tif 000005